(57)【要約】本発明のカードワイヤ（１０５）は、リブ部（１０３）に対して角度をなして傾斜した複数の歯を含んでいる。歯は、歯の先端（１１１）で合流する前方部位（１０７）及び後方部位（１０９）と、前方部位をすぐ前の歯の後方部位と接続する基部（１１３）とを有している。前方部位は、リブ部の方へ傾いた歯の内側の部位である。後方部位は、歯の外側の部位である。前方部位は、少なくとも２つのアンダーカット部（１２０、１３０）を含んでいる。第２のアンダーカット部は、第１のアンダーカット部よりも、歯の先端から一層離れて配置されている。アンダーカット部の各々は、前方部位から（先端から視て）内側へ向かうアンダーカット部の部分の各ポイントに対する接線の、カードワイヤの長手方向となす最小角度である、アンダーカット角を有している。第２のアンダーカット部は、第１のアンダーカット部よりも大きいアンダーカット角を有している。
2017509803.tif 000002
【特許請求の範囲】
【請求項１】
カードワイヤ（１００、３００、４００）であって、
リブ部（１０３、３０３、４０３）と、該リブ部（１０３、３０３、４０３）の長手方向に沿った複数の歯（１０５、３０５、４０５）とを含み、前記複数の歯（１０５、３０５、４０５）が、前記リブ部（１０３、３０３、４０３）に対して角度をなして傾斜しており、
前記歯は、前方部位（１０７、３０７、４０７）と後方部位（１０９、３０９、４０９）とを有し、前記前方部位（１０７、３０７、４０７）が、前記リブ部（１０３、３０３、４０３）の方へ傾いた歯の内側の部位であり、前記後方部位（１０９、３０９、４０９）が、歯の外側の部位であり、
歯の前記前方部位（１０７、３０７、４０７）と前記後方部位（１０９、３０９、４０９）とは、歯の先端（１１１、３１１、４１１）において合流し、
前記歯は、歯の前方部位（１０７、３０７、４０７）を、すぐ前の歯の後方部位（１０９、３０９、４０９）へ接続する基部（１１３、３１３、４１３）を有し、
前記前方部位（１０７、３０７、４０７）は、第１のアンダーカット部（１２０、３２０、４２０）と第２のアンダーカット部（１３０、３３０、４３０）との、少なくとも２つのアンダーカット部（１２０と１３０、３２０と３３０、４２０と４３０）を含み、
前記第２のアンダーカット部（１３０、３３０、４３０）は、前記第１のアンダーカット部（１２０、３２０、４２０）よりも、前記歯の先端（１１１、３１１、４１１）から更に離れて配置され、アンダーカット部（１２０と１３０、３２０と３３０、４２０と４３０）の各々は、アンダーカット角（α、β）を有し、
該アンダーカット角（α、β）は、前記前方部位（１０７、３０７、４０７）から、前記先端から視て内側へ向かう、前記アンダーカット部の部分の各ポイントへの接線の、当該カードワイヤの長手方向となす最小角度であり、
前記第２のアンダーカット部（１３０、３３０、４３０）が、第１のアンダーカット部（α）よりも大きいアンダーカット角（β）を有することを特徴とするカードワイヤ（１００、３００、４００）。
【請求項２】
前記第２のアンダーカット部（１３０、３３０、４３０）のアンダーカット角（β）と、前記第１のアンダーカット部（１２０、３２０、４２０）のアンダーカット角（α）との差が、少なくとも８度であることを特徴とする請求項１記載のカードワイヤ（１００、３００、４００）。
【請求項３】
前記第１のアンダーカット部（１２０、３２０、４２０）は、当該カードワイヤの長手方向に対して垂直に測定した、前記歯の先端（１１１、３１１、４１１）からの距離（Ａ）が、少なくとも０．１５ｍｍの位置で始まることを特徴とする請求項１又は２記載のカードワイヤ（１００、３００、４００）。
【請求項４】
前記第１のアンダーカット部（１２０、３２０、４２０）のアンダーカット角（α）が、０度と３８度との間であることを特徴とする請求項１から３のいずれか１項記載のカードワイヤ（１００、３００、４００）。
【請求項５】
前記第２のアンダーカット部（１３０、３３０、４３０）のアンダーカット角（β）が、２０度と５０度との間であることを特徴とする請求項１から４のいずれか１項記載のカードワイヤ（１００、３００、４００）。
【請求項６】
前記第２のアンダーカット部（１３０）よりも、前記歯の先端から更に離れて配置された、第３のアンダーカット部（１４０）を含み、該第３のアンダーカット部（１４０）が、前記第２のアンダーカット部（１３０）のアンダーカット角（β）よりも大きいアンダーカット角（γ）を有することを特徴とする請求項１から５のいずれか１項記載のカードワイヤ（１００）。
【請求項７】
前記第３のアンダーカット部（１４０）のアンダーカット角（γ）は、前記第２のアンダーカット部（１３０）のアンダーカット角（β）より、少なくとも８度大きいことを特徴とする請求項６記載のカードワイヤ（１００）。
【請求項８】
前記第３のアンダーカット部（１４０）のアンダーカット角（γ）が、３０度と５０度との間であることを特徴とする請求項６又は７記載のカードワイヤ（１００）。
【請求項９】
前記前方部位（１０７、４０７）の、前記先端と前記第１のアンダーカット部（１２０、４２０）との間に、直線部分（１６１、４６１）を含むことを特徴とする請求項１から８のいずれか１項記載のカードワイヤ（１００、４００）。
【請求項１０】
前記前方部位（１０７、４０７）の直線部分（１６１、４６１）は、当該カードワイヤの前記リブ部（１０３、４０３）となす角度（δ）が、２０度と６５度との間であることを特徴とする請求項９記載のカードワイヤ（１００、４００）。
【請求項１１】
前記第１のアンダーカット部、及び／又は、前記第２のアンダーカット部、及び／又は、存在するならば前記第２のアンダーカット部よりも前記歯の先端から離れて配置された第３のアンダーカット部は、前記前方部位から、先端から視て内側へ向かうアンダーカット部の部分に、直線部分を含むことを特徴とする請求項１から１０のいずれか１項記載のカードワイヤ。
【請求項１２】
前記第１のアンダーカット部、及び／又は、前記第２のアンダーカット部、及び／又は、存在するならば前記第２のアンダーカット部よりも前記歯の先端から離れて配置された第３のアンダーカット部は、三角状或いはスカラップ状をなしていることを特徴とする請求項１から１１のいずれか１項記載のカードワイヤ。
【請求項１３】
請求項１から１２のいずれか１項記載のカードワイヤ（１００、３００、４００）が巻かれた集束ローラ（５３０、５４０）を含む装置であって、
前記集束ローラ（５３０、５４０）は、該集束ローラ上の前記カードワイヤの、前記歯の前記前方部位（１０７、３０７、４０７）の向きに対して反対方向に回転するように配置されていることを特徴とする装置。
【請求項１４】
カードワイヤが巻かれた更なるローラ（５２０）を含み、該更なるローラは、前記集束ローラの表面に最も近い、前記更なるローラの表面と、該更なるローラの表面に最も近い、前記集束ローラの表面とが、同じ接線方向に回転するような方向に回転するように配置されていることを特徴とする請求項１３記載の装置。
【請求項１５】
請求項１４記載の装置の運転方法であって、
前記集束ローラ（５３０）を、前記更なるローラ（５２０）よりも遅い表面速度で回転させ、前記集束ローラ（５３０）により、前記更なるローラ（５２０）上にある全ての繊維ウエブを受けることを特徴とする方法。
【発明の詳細な説明】
【技術分野】
【０００１】
本発明は、例えば不織布用カード機の集束（condenser）ローラに用いるためのカードワイヤ、そのカードワイヤを集束ローラ上で使用する装置、及び、その装置を備える不織布用カード機に関するものである。
【背景技術】
【０００２】
１つ以上の連続した集束ローラを、不織布用カード機で使用することは既知である。例えば、米国特許出願公開第２００４／０１５４１３７Ａ１号明細書は、スタッファローラとも呼ばれる集束ローラを備えた不織布用カード機を開示している。集束ローラは、ドッファローラの直ぐ下流に位置している。ドッファローラは、メインシリンダから、或いはランダム化ローラからウエブを取り出している。ドッファローラは、集束ローラへ繊維ウエブを送出する。ドッファローラと比較して、集束ローラの表面速度は遅いため、繊維ウエブが集束（表面領域あたりの単位重量が増大することを意味する）され、ウエブ内の繊維配向性に影響する。１つ目の集束ローラからウエブを取り外すために、２つ目の集束ローラを設置することもできる。そのような２つ目の集束ローラは、１つ目の集束ローラよりも表面速度が遅く、繊維ウエブを更に集束させることになる。一般的に、取り外し（take-off）ローラは、最後の集束ローラから繊維ウエブを取り外している。取り外しローラは、通常、不織布用カード機において、カードワイヤが巻かれた最後のローラである。
【０００３】
単数又は複数の集束ローラは、特殊なタイプのカードワイヤを備えている。そのワイヤは、歯の先端が集束ローラの回転と反対の方向を向くように、集束ローラに取り付けられる。集束ローラ用のカードワイヤは、生産されている繊維ウエブの繊維の総量を収容できるように、概ね、比較的大きい高さ、やや大きい歯の深さ、細長い歯、及び、大きい歯間ピッチを有している。
【０００４】
国際公開第２０１３／０３７７１１Ａ１号は、細長いリブ部と歯とを含むカードワイヤを開示している。その歯は、前方部位と後方部位とを有している。歯は、各自の前方部位の方へ張り出している。前方部位と後方部位とは、歯の先端で合わさっている。前方部位は、少なくとも３つの部位を含んでおり、第１部位は、歯の先端からリブ部の方へ延び、第２部位は、第１部位の下でリブ部の方へ延び、第３部位は、第２部位の終わりからリブ部の方へ延びている。第２部位は、直線部分と湾曲部分とを含み、直線部分が最小で０．１０ｍｍの長さを有すると共に、直線部分が、カードワイヤの長手方向に対して、１０度から３０度の角度を有している。直線部分の後に湾曲部分が続いており、湾曲部分は、少なくとも０．１８ｍｍの半径を有している。前方部位は、第２部位のリブ部へ向かう下向きの、付加的な第２部位を、少なくとも１つ含むことができる。この文献は、そのようなカードワイヤを、不織布用カード機で使用することを述べている。
【０００５】
米国特許出願公開第２０１３／１３３１５９Ａ号明細書は、リブ部と、このリブ部の全長にわたる複数の歯とを備えた、ワイヤ形状物を開示している。複数の歯は、リブ部に対して角度をなして傾斜している。歯は、前方部位と後方部位とを有している。前方部位は、リブ部の方へ傾いた歯の内側の部位であり、後方部位は、歯の外側の部位である。少なくとも１つの歯が、その後方部位に、少なくとも１つのノーズカット部を含んでいる。ワイヤは、集束ローラを覆うために好適に使用できる。
【０００６】
国際公開第２０１１／１３８３２２Ａ１号は、リブ部と、このリブ部の全長にわたる複数の歯とを含む針布（card clothing）用の、ワイヤ形状物を開示している。それらの歯は傾斜しており、歯の背骨部分となる後方スロープと、繊維と直接接触する側部分となる前方スロープとを備えている。後方スロープは、リブ部と背面角をなす接線を有している。前方スロープは、先端部とアンダーカット部との、少なくとも２つの部位に分割され、繊維を保持する。先端部は、後方スロープと合流して歯の先端を形成しており、先端部は、繊維の間を通る役目を果たし、更に先端部は、リブ部と歯先角をなす接線を有している。アンダーカット部は、リブ部とアンダーカット角をなす接線を有しており、このアンダーカット角は、アンダーカット部の各ポイントにおいて、最大の背面角よりも大きく、最小の歯先角よりも小さいものである。
【発明の概要】
【発明が解決しようとする課題】
【０００７】
本発明の主要な目的は、不規則に起伏した外観を有さない繊維ウエブを生産するために、不織布用カード機の集束ローラのための、改善されたカードワイヤを提供することである。本発明の更なる目的は、そのようなカードワイヤが巻かれた集束ローラを含む装置を提供することである。
【課題を解決するための手段】
【０００８】
本発明の第１形態は、例えば不織布用カード機の集束ローラのための、カードワイヤである。このカードワイヤは、リブ部と、リブ部の長手方向に沿って複数の歯とを含んでいる。複数の歯は、リブ部に対して角度をなして傾斜している。又、歯は、前方部位と後方部位とを有している。前方部位は、リブ部の方へ傾いた歯の内側の部位である。後方部位は、歯の外側の部位である。歯の前方部位と後方部位とは、歯の先端で合流する。歯は、歯の前方部位を、すぐ前の歯の後方部位と接続する基部を有している。前方部位は、第１のアンダーカット部と第２のアンダーカット部との、少なくとも２つのアンダーカット部を含んでいる。第２のアンダーカット部は、第１のアンダーカット部よりも、歯の先端からの間隔が離れている。アンダーカット部の各々は、アンダーカット角を有している。このアンダーカット角は、前方部位から（先端から視たときに）内側へ向かうアンダーカット部の部位の、各ポイントへの接線が、カードワイヤの長手方向となす最小角度である。第２のアンダーカット部は、第１のアンダーカット部よりも大きなアンダーカット角を有している。
【０００９】
不織布用カード機の集束ローラに用いる従来のワイヤは、以下のような課題を有している。ドッファローラから取り外され、１つ目の集束ローラに送出される繊維ウエブ、及び／又は、１つ目の集束ローラから２つ目の集束ローラへ送出される繊維ウエブは、その表面に不規則に起伏した外観を見せることがある。本発明の利点は、本発明のカードワイヤを集束ローラ上に使用したときに、上述した外観の問題がなく、更に、集束ローラ上のカードワイヤへの繊維の目詰まりが発生することなく、繊維ウエブを製造できることである。本発明のカードワイヤによる、繊維ウエブの不規則に起伏した外観の回避は、繊維を再配向させる（reorienting）チャネリング効果（channelling effect）によってもたらされるものと考えられる。
【００１０】
「アンダーカット部」の例は、カードワイヤの歯の前方部位の、前方部位の凸状部の頂点（又は丸みを帯びた形状の頂点）で始まり、歯の（先端から基部への方向で前方部位に沿って視て）内側へ向かう部位である。
【００１１】
好適には、第２のアンダーカット部のアンダーカット角と、第１のアンダーカット部のアンダーカット角との間の差は、少なくとも８度、好ましくは少なくとも１２度、より好ましくは少なくとも１５度であり、又、好ましくは２０度未満、より好ましくは１５度未満である。
【００１２】
好ましいカードワイヤにおいて、第１のアンダーカット部は、カードワイヤの長手方向に対して垂直に測定した、歯の先端からの距離が、少なくとも０．１５ｍｍ、好ましくは少なくとも０．２ｍｍ、より好ましくは少なくとも０．３ｍｍ、より一層好ましくは少なくとも０．５ｍｍの位置で始まる。そのような実施形態は、集束ローラ上のカードワイヤの長期の使用期間にわたって、繊維ウエブ内の不規則な起伏が排除されているように見える。
【００１３】
好ましいカードワイヤでは、第１のアンダーカット部のアンダーカット角が、０度と３８度との間、好ましくは０度と２５度との間、より好ましくは１２度と２５度との間である。
【００１４】
好ましくは、第２のアンダーカット部のアンダーカット角が、２０度と５０度との間、より好ましくは２０度と３８度との間である。
【００１５】
更に好適なカードワイヤは、第２のアンダーカット部よりも歯の先端から離れた位置にある、第３のアンダーカット部を含んでいる。この第３のアンダーカット部は、第２のアンダーカット部のアンダーカット角よりも大きいアンダーカット角を有している。
好適には、第３のアンダーカット部のアンダーカット角は、少なくとも８度、好ましくは少なくとも１２度、より好ましくは少なくとも１５度であり、又、好ましくは２０度未満、より好ましくは１５度未満だが、第２のアンダーカット部のアンダーカット角よりも大きい。
好適には、第３のアンダーカット部のアンダーカット角は、３０度と５０度との間、より好ましくは３５度と５０度との間である。
【００１６】
好適なカードワイヤは、前方部位の、先端と第１のアンダーカット部との間に、直線部分を含んでいる。好適には、その前方部位の直線部分は、カードワイヤのリブ部との角度が、２０度と６５度との間であり、好ましくは２０度と４０度との間であり、より好ましくは２０度と３０度との間（例えば２２度）であり、或いは５０度と６５度との間（例えば６０度）である。
更に好ましい実施形態では、前方部位が、先端と第１のアンダーカット部との間に、２つの直線部分を含んでおり、先端に近い直線部分が、２つ目の直線部分よりも、カードワイヤの長手方向に対する角度が小さいことが好ましい。先端に近い直線部分は、カードワイヤの長手方向となす角度が、例えば２０度と３０度との間である。２つ目の直線部分は、カードワイヤの長手方向となす角度が、例えば５０度と６５度との間である。
【００１７】
好ましいカードワイヤにおいて、第１のアンダーカット部及び／又は第２のアンダーカット部、或いは、第１のアンダーカット部及び／又は第２のアンダーカット部及び／又は存在するならば第２のアンダーカット部よりも歯の先端から離れて配置された第３のアンダーカット部は、アンダーカット部の、前方部位から（先端から視て）内側へ向かう部分に、実質的に直線の部分を含んでいる。その直線部分は、好ましくは少なくとも０．２ｍｍ、より好ましくは少なくとも０．４ｍｍ、更に好ましくは少なくとも０．６ｍｍ、より一層好ましくは少なくとも０．８ｍｍの長さを有している。
【００１８】
好ましいカードワイヤにおいて、第１のアンダーカット部及び／又は第２のアンダーカット部、或いは、第１のアンダーカット部及び／又は第２のアンダーカット部及び／又は存在するならば第２のアンダーカット部よりも歯の先端から離れて配置された第３のアンダーカット部は、三角状又はスカラップ状（scallop shape）をなしている。三角状は、三角の先端が丸みを帯びた三角状であってもよい。
【００１９】
本発明の第２形態は、ローラ、好ましくは集束ローラを含んだ装置である。ローラは、本発明の第１形態としてのカードワイヤが巻かれている。ローラは、ローラ上のカードワイヤの、歯の前方部位の向きと、反対の方向に回転するように配置される。
【００２０】
好適な装置は、カードワイヤが巻かれた更なるローラを含んでいる。更なるローラは、本発明の第１形態としてのカードワイヤが巻かれたローラの表面に最も近い、更なるローラの表面と、更なるローラの表面に最も近い、本発明の第１形態としてのカードワイヤが巻かれたローラの表面とが、同じ接線方向に回転するような方向に回転するように配置され、本発明の第１形態としてのカードワイヤが巻かれたローラは、更なるローラから繊維のウエブを受けるように配置される。好適には、本発明の第１形態としてのカードワイヤが巻かれたローラは、更なるローラよりも小さい表面速度、好ましくは少なくとも２０％小さい表面速度で回転するように配置される。好ましくは、更なるローラは、その表面上の全てのウエブを、本発明の第１形態のカードワイヤが巻かれたローラ上へ送るように配置される。好ましくは、更なるローラは、ローラ上のカードワイヤの、歯の前方部位の向きと、反対の方向へ回転するように配置される。
更に好ましい実施形態において、装置は、カードワイヤを含む第３のローラを含んでいる。第３のローラは、更なるローラと反対の接線方向で回転するように配置される。第３のローラは、更なるローラ上へ、自体のウエブを少なくとも部分的に送るように配置される。
【００２１】
本発明の第２形態の装置は、ドッファローラから、或いは１つ目の集束ローラから繊維ウエブを取り外す際に、従来のワイヤで発生する虞がある、不規則に起伏した外観を低減させる点で、特に有益であることが確認される。
【００２２】
模式的な実施形態では、その装置が不織布用のカード機である。本発明の第１形態のカードワイヤが巻かれたローラは、ドッファローラの直ぐ下流のローラである１つ目の集束ローラであってもよく、或いは、１つ目の集束ローラの直ぐ下流の集束ローラである２つ目の集束ローラであってもよい。
好ましくは、２つの集束ローラが用いられる場合、２つ目の集束ローラの点密度に対する、１つ目の集束ローラの点密度（ローラの単位表面領域あたりのカードワイヤの先端で表現される）の比率は、１と２との間、或いは、１．５と３との間である。１と２との間の範囲は、例えば、１つ目及び２つ目の集束ローラの組み合わせにおいて好ましい。集束ローラに対する、ドッファローラの点密度の比率は、１．５と３との間が好ましい。
更に好ましい実施形態では、１つ目及び２つ目の集束ローラに、本発明の第１形態に係るカードワイヤが巻かれている。
【００２３】
本発明の第３形態は、本発明の第２形態に係る装置を運転する方法である。本発明の第１形態のカードワイヤが巻かれた集束ローラは、更なるローラよりも遅い表面速度で回転する。集束ローラは、更なるローラ上にある全ての繊維ウエブを受ける。「集束ローラは、更なるローラ上にある全ての繊維ウエブを受ける。」は、繊維の送出後は、更なるローラ上に実質的に繊維が残っていないことを意味する。
【００２４】
好適には、集束ローラが、更なるローラよりも小さい表面速度、好ましくは少なくとも２０％小さい表面速度で回転する。好適には、更なるローラは、ローラ上のカードワイヤの、歯の前方部位の向きに対して、反対の方向へ回転する。
【００２５】
本方法で使用する装置は、カードワイヤを含む第３のローラを含むことが好ましい。第３のローラは、更なるローラよりも大きい表面速度で、更なるローラの回転方向と反対の接線方向に回転する。第３のローラは、その上の繊維ウエブの少なくとも一部を、更なるローラ上へ送出する。
そのような実施形態において、第３のローラは、例えば、シリンダローラやランダム化ローラであってよい。更なるローラは、ドッファローラであってよい。
【００２６】
本発明の方法は、高品質に集束された繊維ウエブを作ることができる。
【００２７】
本発明の範囲及び要旨内に留まる状態で、異なる実施形態の特徴及び異なる実施例の特徴を組み合わせることができる。
【図面の簡単な説明】
【００２８】
【図１】本発明に係るカードワイヤを示している。
【図２】図１のカードワイヤの詳細を示している。
【図３】本発明に係る別のカードワイヤを示している。
【図４】本発明に係る２つのアンダーカットを備えたカードワイヤを示している。
【図５】本発明に係るカードワイヤが巻かれたローラを含む装置を示している。
【発明を実施するための形態】
【００２９】
図１は、本発明に係るカードワイヤ１００を示している。このカードワイヤ１００は、リブ部１０３と、リブ部１０３の長手方向に沿って複数の歯１０５とを含んでいる。複数の歯１０５は、リブ部１０３に対して角度をなして傾斜している。歯は、前方部位１０７と後方部位１０９とを有している。前方部位１０７は、リブ部１０３の方へ傾いた、歯１０５の内側の部位である。後方部位１０９は、歯の外側の部位である。歯の前方部位１０７と後方部位１０９とは、歯の先端１１１で合流している。基部１１３が、前方部位を、すぐ前の歯の後方部位１０９へ接続している。図１に示しているカードワイヤ１００は、歯１０５が、３つのアンダーカット部を含む前方部位１０７を有している。それらは、第１のアンダーカット部１２０、第２のアンダーカット部１３０、そして第３のアンダーカット部１４０である。アンダーカット部１２０、１３０、１４０は、三角状をなしており、その三角の先端が丸みを帯びている。アンダーカット部１２０、１３０、１４０の各々は、アンダーカット角を有している。アンダーカット角は、アンダーカット部の、前方部位から（先端から視たときに）内側へ向かう部分の、各ポイントに対する接線が、カードワイヤの長手方向となす最小の角度である。第１のアンダーカット部（１２０）、第２のアンダーカット部（１３０）、及び、第３のアンダーカット部（１４０）は、夫々、アンダーカット角α、β、γを有している。一つの実施例として、αが１５度、βが２７度、γが４０度である。別の実施例では、αが１５度、βが２０度、γが４０度である。更に別の実施例では、αが１５度、βが３５度、γが５０度である。更に別の実施例では、αが１５度、βが３５度、γが４５度である。更に別の実施例では、αが０度、βが１２度、γが３５度である。更に別の実施例では、αが８度、βが２０度、γが４５度である。更に別の実施例では、αが３５度、βが４３度、γが５０度である。
【００３０】
他の実施例において、カードワイヤは、２０度のアンダーカット角を備える第１のアンダーカット部と、３５度のアンダーカット角を備える第２のアンダーカット部とを有している。
図１の例では、カードワイヤの長手方向に対して垂直に測定した、歯の先端からの距離Ａが０．６ｍｍの位置で、第１のアンダーカット部が始まっている。
図１に示されている模式的なカードワイヤ１００は、前方部位１０７の、先端１１１と第１のアンダーカット部１２０との間に、直線部分１６１を含んでいる。直線部分１６１は、リブ部１０３との最小角δが６０度である。別の実施例では、直線部分１６１が、例えば５５度又は５０度の、リブ部１０３との最小角δを有している。
第１の（１２０）、第２の（１３０）、及び第３の（１４０）アンダーカットは、前方部位から（先端から視たときに）内側へ向かうアンダーカット部の一部に、実質的に直線の部分を含んでいる。第１のアンダーカット部１２０についてのその部分が、図１のカードワイヤ１００を詳細に示す図２に示されている。図１及び図２の同じ参照符号は、同じ意味を有している。直線部分Ｂは、好ましくは、０．４ｍｍと１ｍｍとの間、例えば０．８ｍｍの長さを有している。
【００３１】
図３は、２つのアンダーカット部３２０、３３０がスカラップ状を有する、本発明に係るカードワイヤ３００を示している。カードワイヤ３００は、リブ部３０３と、リブ部３０３の長手方向に沿って複数の歯３０５とを含んでいる。複数の歯３０５は、リブ部３０３に対して角度をなして傾斜している。歯は、前方部位３０７と後方部位３０９とを有している。前方部位３０７は、リブ部３０３の方へ傾いた歯３０５の内側の部位である。後方部位３０９は、歯の外側の部位である。歯の前方部位３０７と後方部位３０９とは、歯の先端３１１で合流する。基部３１３が、前方部位を、すぐ前の歯の後方部位と接続している。
一例として、アンダーカット角は、αが１５と等しく、βが２８度と等しい。
前方部位３０７は、先端３１１と第１のアンダーカット部３２０との間に、２つの直線部分３６３、３６５を含んでいる。カードワイヤの長手方向に対して、先端に近い直線部分３６３は、角度ε（例えば２２度）を有しており、２つ目の直線部分３６５は、角度ω（例えば６０度）を有している。
【００３２】
好適な実施形態において、本発明のカードワイヤは、２つのアンダーカット、より好ましくは、ちょうど２つのアンダーカットを有している。図４は、２つのアンダーカットを有する、本発明に係るカードワイヤ４００を示している。カードワイヤ４００は、リブ部４０３と、リブ部４０３の長手方向に沿って複数の歯４０５とを含んでいる。複数の歯４０５は、リブ部４０３に対して角度をなして傾斜している。歯は、前方部位４０７と後方部位４０９とを有している。前方部位４０７は、リブ部４０３の方へ傾いた歯４０５の内側の部位である。後方部位４０９は、歯の外側の部位である。歯の前方部位４０７と後方部位４０９とは、歯の先端４１１で合流する。基部４１３が、前方部位を、すぐ前の歯の後方部位４０９と接続している。ワイヤ４００は、第１のアンダーカット部４２０と第２のアンダーカット部４３０とを有している。アンダーカット部４２０、４３０の各々は、アンダーカット角を有している。第１のアンダーカット部（４２０）及び第２のアンダーカット部（４３０）は、夫々、アンダーカット角α及びβを有している。一例として、αが３５度であり、βが４０度である。別の例では、αが３５度であり、βが４３度である。
【００３３】
図５は、シリンダローラ５１０と、ドッファローラ５２０及び２つの集束ローラ５３０、５４０と、取り外しローラ５５０とを含む装置を示している。この装置は、不織布用カード機の一部である。シリンダローラ５１０と、ドッファローラ５２０及び２つの集束ローラ５３０、５４０と、取り外しローラ５５０とには、夫々、カードワイヤ５１２、５２２、５３２、５４２、５５２が巻かれている。１つ目の集束ローラ５３０、及び／又は、２つ目の集束ローラ５４０は、本発明に係るカードワイヤ、例えば図１、３、４に示したカードワイヤを巻き付けることができる。動作時のローラの回転方向を、矢印で示している。
シリンダローラ５１０は、繊維ウエブ５１４を搬送する。シリンダローラ５１０とドッファローラ５２０とが交わる部分おいて、繊維ウエブ５１４の一部が、シリンダローラ５１０のカードワイヤ５１２から、ドッファローラ５２０のカードワイヤ５２２上へと送出される。送出された繊維ウエブを、符号５２６で示している。しかしながら、繊維ウエブ５１４は、完全に送出されるわけではなく、符号５１５で示される繊維ウエブ５１４の一部が、シリンダローラ５１０上で再使用される。
１つ目の集束ローラ５３０は、ドッファローラ５２０よりも遅い（例えば２０％遅い）表面速度で回転する。集束ローラ５３０は、ローラ上のカードワイヤの、歯の前方部位の向きと反対の方向で回転する（ドッファローラ５２０及び２つ目の集束ローラ５４０の回転方向についても同様である）。繊維ウエブ５２６は、集束ローラ５３０のカードワイヤ５３２の歯によって運ばれて、ドッファローラ５２０から１つ目の集束ローラ５３０へと完全に送出され、その繊維ウエブを参照符号５３６で示している。
２つ目の集束ローラ５４０は、１つ目の集束ローラ５３０よりも遅い（例えば２０％遅い）表面速度で回転する。繊維ウエブ５３６は、集束ローラ５４０のカードワイヤ５４２の歯によって運ばれて、１つ目の集束ローラ５３０から２つ目の集束ローラ５４０へと完全に送出され、その繊維ウエブを参照符号５４６で示している。
カードワイヤ５５２が巻かれた取り外しローラ５５０は、２つ目の集束ローラ５４０からウエブ５４６を取り外し、ウエブ５５６を更に先へ送出する。
集束ローラ５３０、５４０の動作によって、ウエブが収束されて密集され、繊維が再配向される。
本発明のカードワイヤを、１つ目及び／又は２つ目の集束ローラ上へ使用することで、本発明のカードワイヤが巻かれたローラ上で繊維の目詰まりが発生することなく、前のローラと本発明のカードワイヤが巻かれたローラとの交差部分において、ウエブの外観が不規則に起泡（bubbling）又は起伏することが排除される。
【符号の説明】
【００３４】
１００、３００、４００：カードワイヤ、１０３、３０３、４０３：リブ部、１０５、３０５、４０５：歯、１０７、３０７、４０７：前方部位、１０９、３０９、４０９：後方部位、１１１、３１１、４１１：先端、１１３、３１３、４１３：基部、１２０、３２０、４２０：第１のアンダーカット部、１３０、３３０、４３０：第２のアンダーカット部、１４０：第３のアンダーカット部、１６１：直線部分、５１４、５１５、５２６、５３６、５４６、５５６：繊維ウエブ、５３０、５４０：集束ローラ、α、β、γ：アンダーカット角、Ａ：距離、δ：角度
【図１】
2017509803.tif 000003
【図２】
2017509803.tif 000004
【図３】
2017509803.tif 000005
【図４】
2017509803.tif 000006
【図５】
2017509803.tif 000007
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
カードワイヤ（１００、３００、４００）であって、
リブ部（１０３、３０３、４０３）と、該リブ部（１０３、３０３、４０３）の長手方向に沿った複数の歯（１０５、３０５、４０５）とを含み、前記複数の歯（１０５、３０５、４０５）が、前記リブ部（１０３、３０３、４０３）に対して角度をなして傾斜しており、
前記歯は、前方部位（１０７、３０７、４０７）と後方部位（１０９、３０９、４０９）とを有し、前記前方部位（１０７、３０７、４０７）が、前記リブ部（１０３、３０３、４０３）の方へ傾いた歯の内側の部位であり、前記後方部位（１０９、３０９、４０９）が、歯の外側の部位であり、
歯の前記前方部位（１０７、３０７、４０７）と前記後方部位（１０９、３０９、４０９）とは、歯の先端（１１１、３１１、４１１）において合流し、
前記歯は、歯の前方部位（１０７、３０７、４０７）を、すぐ前の歯の後方部位（１０９、３０９、４０９）へ接続する基部（１１３、３１３、４１３）を有し、
前記前方部位（１０７、３０７、４０７）は、第１のアンダーカット部（１２０、３２０、４２０）と第２のアンダーカット部（１３０、３３０、４３０）との、少なくとも２つのアンダーカット部（１２０と１３０、３２０と３３０、４２０と４３０）を含み、
前記第２のアンダーカット部（１３０、３３０、４３０）は、前記第１のアンダーカット部（１２０、３２０、４２０）よりも、前記歯の先端（１１１、３１１、４１１）から更に離れて配置され、アンダーカット部（１２０と１３０、３２０と３３０、４２０と４３０）の各々は、アンダーカット角（α、β）を有し、
該アンダーカット角（α、β）は、前記前方部位（１０７、３０７、４０７）から、前記先端から視て内側へ向かう、前記アンダーカット部の部分の各ポイントへの接線の、当該カードワイヤの長手方向となす最小角度であり、
前記第２のアンダーカット部（１３０、３３０、４３０）が、第１のアンダーカット部（α）よりも大きいアンダーカット角（β）を有することを特徴とするカードワイヤ（１００、３００、４００）。
【請求項２】
前記第２のアンダーカット部（１３０、３３０、４３０）のアンダーカット角（β）と、前記第１のアンダーカット部（１２０、３２０、４２０）のアンダーカット角（α）との差が、少なくとも８度であることを特徴とする請求項１記載のカードワイヤ（１００、３００、４００）。
【請求項３】
前記第１のアンダーカット部（１２０、３２０、４２０）は、当該カードワイヤの長手方向に対して垂直に測定した、前記歯の先端（１１１、３１１、４１１）からの距離（Ａ）が、少なくとも０．１５ｍｍの位置で始まることを特徴とする請求項１又は２記載のカードワイヤ（１００、３００、４００）。
【請求項４】
前記第１のアンダーカット部（１２０、３２０、４２０）のアンダーカット角（α）が、０度と３８度との間であることを特徴とする請求項１から３のいずれか１項記載のカードワイヤ（１００、３００、４００）。
【請求項５】
前記第２のアンダーカット部（１３０、３３０、４３０）のアンダーカット角（β）が、２０度と５０度との間であることを特徴とする請求項１から４のいずれか１項記載のカードワイヤ（１００、３００、４００）。
【請求項６】
前記前方部位（１０７、４０７）の、前記先端と前記第１のアンダーカット部（１２０、４２０）との間に、直線部分（１６１、４６１）を含むことを特徴とする請求項１から５のいずれか１項記載のカードワイヤ（１００、４００）。
【請求項７】
前記前方部位（１０７、４０７）の直線部分（１６１、４６１）は、当該カードワイヤの前記リブ部（１０３、４０３）となす角度（δ）が、２０度と６５度との間であることを特徴とする請求項６記載のカードワイヤ（１００、４００）。
【請求項８】
前記第１のアンダーカット部、及び／又は、前記第２のアンダーカット部は、前記前方部位から、先端から視て内側へ向かうアンダーカット部の部分に、直線部分を含むことを特徴とする請求項１から７のいずれか１項記載のカードワイヤ。
【請求項９】
前記第１のアンダーカット部、及び／又は、前記第２のアンダーカット部は、三角状或いはスカラップ状をなしていることを特徴とする請求項１から８のいずれか１項記載のカードワイヤ。
【請求項１０】
前記第２のアンダーカット部（１３０）よりも、前記歯の先端から更に離れて配置された、第３のアンダーカット部（１４０）を含み、該第３のアンダーカット部（１４０）が、前記第２のアンダーカット部（１３０）のアンダーカット角（β）よりも大きいアンダーカット角（γ）を有することを特徴とする請求項１から９のいずれか１項記載のカードワイヤ（１００）。
【請求項１１】
前記第３のアンダーカット部（１４０）のアンダーカット角（γ）は、前記第２のアンダーカット部（１３０）のアンダーカット角（β）より、少なくとも８度大きいことを特徴とする請求項１０記載のカードワイヤ（１００）。
【請求項１２】
前記第３のアンダーカット部（１４０）のアンダーカット角（γ）が、３０度と５０度との間であることを特徴とする請求項１０又は１１記載のカードワイヤ（１００）。
【請求項１３】
前記第３のアンダーカット部は、前記前方部位から、先端から視て内側へ向かうアンダーカット部の部分に、直線部分を含むことを特徴とする請求項１０から１２のいずれか１項記載のカードワイヤ。
【請求項１４】
前記第３のアンダーカット部は、三角状或いはスカラップ状をなしていることを特徴とする請求項１０から１３のいずれか１項記載のカードワイヤ。
【請求項１５】
請求項１から１４のいずれか１項記載のカードワイヤ（１００、３００、４００）が巻かれた集束ローラ（５３０、５４０）を含む装置であって、
前記集束ローラ（５３０、５４０）は、該集束ローラ上の前記カードワイヤの、前記歯の前記前方部位（１０７、３０７、４０７）の向きに対して反対方向に回転するように配置されていることを特徴とする装置。
【請求項１６】
カードワイヤが巻かれた更なるローラ（５２０）を含み、該更なるローラは、前記集束ローラの表面に最も近い、前記更なるローラの表面と、該更なるローラの表面に最も近い、前記集束ローラの表面とが、同じ接線方向に回転するような方向に回転するように配置されていることを特徴とする請求項１５記載の装置。
【請求項１７】
請求項１６記載の装置の運転方法であって、
前記集束ローラ（５３０）を、前記更なるローラ（５２０）よりも遅い表面速度で回転させ、前記集束ローラ（５３０）により、前記更なるローラ（５２０）上にある全ての繊維ウエブを受けることを特徴とする方法。
【国際調査報告】
2017509803.tif 000008
2017509803.tif 000009